(57)【特許請求の範囲】
【請求項１】
隣接させて配置した段ボールからなる間仕切り板の繋ぎ目の上部を、所定形状の段ボールを折り曲げて構成され、前記間仕切り板を挟持する上部連結段ボールで固定し、かつ、前記間仕切り板の繋ぎ目の下部を、所定形状の段ボールを折り曲げて構成され、床面に設置され、前記間仕切り板の下部を挟持する下部連結段ボールで固定し、さらに、隣接させた前記間仕切り板の十字状部あるいはＴ字状部あるいはＬ字状部の上下部を、段ボールで四角筒に形成され、その４つの片それぞれに前記間仕切り板が開放端側から差し込まれる係合溝を有するコーナー連結段ボールで固定する、
ことを特徴とする段ボールを利用した間仕切り構造。
【請求項２】
請求項１に記載の段ボールを利用した間仕切り構造において、
前記上部連結段ボールは、前記間仕切り板の上部に形成された凸部が挿入される孔が形成された背部と、一方に切り起こし部が形成され、他方に前記切り起こし部が前記間仕切り板の孔を介して係合する係合孔が形成された、前記背部に連設されて相対向する挟持部とで構成されている、
ことを特徴とする段ボールを利用した間仕切り構造。
【請求項３】
請求項１に記載の段ボールを利用した間仕切り構造において、
前記下部連結段ボールは、床設置部と、該床設置部の両側に連設され、前記床設置部に重ね合わされる重合部と、該各重合部に連設され、前記各重合部から起立して前記間仕切り板を挟持する挟持部と、前記重合部に形成された切欠部に係合する前記床設置部から切り起こされた係合部とで構成されている、
ことを特徴とする段ボールを利用した間仕切り構造。
【請求項４】
請求項１に記載の段ボールを利用した間仕切り構造において、
前記コーナー連結段ボールは、四角筒に折り込んだ前記片の少なくとも一方の開口部側に、隣接させた前記間仕切り板によって形成された凹部内へ差し込むと、前記間仕切り板の切り込みに係合する前記係合溝が設けられている、
ことを特徴とする段ボールを利用した間仕切り構造。
【発明の詳細な説明】
【０００１】
【発明の属する技術分野】
本発明は、大きな部屋を小さく仕切る間仕切りであって、該間仕切りおよび間仕切りを連結する連結部材を段ボールで構成した、段ボールを利用した間仕切り構造に関する。
【０００２】
【従来の技術】
水害等の災害が発生した時、被災者は学校や公民館等の公共施設に避難することになるが、この種の公共施設では大きな部屋に多家族が一同に会することになるので、プライバシーが保たれなくなり、避難が長期にわたると、被災者はストレスに悩まされる。
【０００３】
【発明が解決しようとする課題】
このような場合、家族毎に空間を間仕切りで仕切ることが望まれるが、間仕切りは高価で、かつ、嵩張ると共に、重量が大きいため、被災地に運搬するのが大変な作業になるといった問題があった。
【０００４】
そこで、段ボールを間仕切り代わりに使用することが考えられるが、段ボールを繋ぎ合わせる場合、被災者の人数等によって大きさの異なる区画に仕切ることが非常に困難であるといった問題があった。
【０００５】
本発明は、前記した問題点を解決せんとするもので、間仕切り板を段ボールで製作し、かつ、該間仕切り板を隣接させて接続する部材、隣接させた間仕切り板の十字状部分およびＴ字状部分を接続する部材を全て組立可能にした段ボールで構成することにより、コストの低減が図れると共に、軽量で嵩張ることがなく、一度の運搬で多数の部材を運ぶことのできる段ボールを利用した間仕切り構造を提供せんとするにある。
【０００６】
【課題を解決するための手段】
本発明の段ボールを利用した間仕切り構造は、隣接させて配置した段ボールからなる間仕切り板の繋ぎ目の上部を、所定形状の段ボールを折り曲げて構成され、前記間仕切り板を挟持する上部連結段ボールで固定し、かつ、前記間仕切り板の繋ぎ目の下部を、所定形状の段ボールを折り曲げて構成され、床面に設置され、前記間仕切り板の下部を挟持する下部連結段ボールで固定し、さらに、隣接させた前記間仕切り板の十字状部あるいはＴ字状部あるいはＬ字状部の上下部を、段ボールで四角筒に形成され、その４つの片それぞれに前記間仕切り板が開放端側から差し込まれる係合溝を有するコーナー連結段ボールで固定する。
【０００７】
そして、前記上部連結段ボールを、前記間仕切り板の上部に形成された凸部が挿入される孔が形成された背部と、一方に切り起こし部が形成され、他方に前記切り起こし部が前記間仕切り板の孔を介して係合する係合孔が形成された、前記背部に連設されて相対向する挟持部とで構成する。
【０００８】
また、下部連結段ボールを、床設置部と、該床設置部の両側に連設され、前記床設置部に重ね合わされる重合部と、該各重合部に連設され、前記各重合部から起立して前記間仕切り板を挟持する挟持部と、前記重合部に形成された切欠部に係合する前記床設置部から切り起こされた係合部とで構成する。
【０００９】
また、前記コーナー連結段ボールに、四角筒に折り込んだ前記片の少なくとも一方の開口部側に、隣接させた前記間仕切り板によって形成された凹部内へ差し込むと、前記間仕切り板の切り込みに係合する前記係合溝を設ける。
【００１０】
【発明の実施の形態】
以下、本発明に係る段ボールを利用した間仕切り構造の実施の形態を、図面を参照して説明する。
図において、１は段ボールで構成した間仕切り板、２は隣接させて配置した間仕切り板１の上部を連結する上部連結段ボール、３は隣接させて配置した間仕切り板１の下部を連結する下部連結段ボール、４は隣接させて配置した間仕切り板１が十字状に交差する部分あるいはＴ字状に交差する部分あるいはＬ字状に交差する部分を連結するコーナー連結段ボールである。なお、間仕切り板１および各連結段ボール２〜４は、何れも段ボールの打ち抜きによって形成されている。
【００１１】
次に、間仕切り板１および各連結段ボール２〜４の具体的な構成を説明する。
先ず、間仕切り板１の詳細を、図２を参照して説明すると、間仕切り板１は、略四角形状の段ボールで構成され、中央に折り込み線１ａが形成された一対の壁１１で構成されている。そして、折り込み線１ａの上下には、上部連結段ボール２に挿入するための凸部１１ａが折り込み線１ａを挟んで形成され、また、各壁１１の上下左右端部にも凸部１１ｂが形成されている。
【００１２】
さらに、凸部１１ｂを構成する部分には、コーナー連結段ボール４を取り付ける時に折り返すための折り込み線１ｂと切り込み線１ｃとが形成され、かつ、折り込み線１ｂを延長して切り込み１１ｃが形成されている。また、凸部１１ａ，１１ｂの近傍には、上部連結段ボール２の切り起こし部２３ａを挿入係合させるための台形状の切り取り線１ｄが形成されている。なお、折り込み線１ｂと切り込み線１ｃとで区画された領域の、折り込み線１ｂを挟んで切り取り線１ｄと対称位置に、切り取り線１ｄと対称な台形状の切り起こし部１２が形成されている。
【００１３】
次に、上部連結段ボール２の詳細を、図３を参照して説明すると、上部連結段ボール２は、略四角形状の段ボールで構成され、２本の折り込み線２ａが形成され、この折り込み線２ａに沿って折り曲げることで形成される背部２１と一対の挟持部２２，２３とで構成されている。そして、背部２１には、間仕切り板１における凸部１１ａ，１１ｂが嵌まり込む長孔２１ａが形成され、また、挟持部２２には台形状の係合孔２２ａが、また、挟持部２３には、間仕切り板１における切り取り線１ｄに沿って間仕切り板１を切り取って開口させた孔を介して係合孔２２ａ内に挿入固定される台形状の切り起こし部２３ａが形成されている。
【００１４】
次に、下部連結段ボール３の詳細を、図４を参照して説明すると、下部連結段ボール３は、略長方形の段ボールで構成され、床設置部３１の両側に折り込み線３ａを介して一対の重合部３２が形成され、それぞれの重合部３２から折り込み線３ｂを介して起立する挟持部３３が形成されている。
【００１５】
そして、床設置部３１の中央には、間仕切り板１の下部に形成された凸部１１ａあるいは凸部１１ｂが挿入固定される長孔３１ａと、左右のそれぞれから切り起こされる一対の台形状の係合部３１ｂとが形成されている。また、重合部３２には、係合部３１ｂが係合する台形状の切欠部３２ａが形成され、重合部３２を床設置部３１に折り畳んだ状態で係合部３１ｂを起立させることで、該係合部３１ｂは切欠部３２ａに係合し、重合部３２は床設置部３１に重合した状態が保持される。
【００１６】
さらに、床設置部３１と重合部３２とには連通するそれぞれ２つの溝３１ｃ，３２ｂが形成され、重合部３２を床設置部３１に重合した状態で溝３１ｃと溝３２ｂとは重なって１つの溝となる。
【００１７】
また、挟持部３３には折り込み線３ｃを介して直角に起立する起立片３３ａと、該起立片３３ａの下部に形成され、溝３１ｃ，３２ｂに嵌まり込む係合片３３ｂとが形成されている。
【００１８】
このように構成された下部連結段ボール３の組立方法を説明すると、先ず、床設置部３１に対して重合部３２を折り込み線３ａで折り込んで各重合部３２をそれぞれ床設置部３１に重ね合わせ、その後、先端が幅広の係合部３１ｂを先端が幅広の切欠部３２ａに差し込んで床設置部３１に対して重合部３２を重合固定する。
【００１９】
次いで、挟持部３３を折り込み線３ｂで起立させると共に起立片３３ａを切り込み線３ｃで直角に起立させ、該起立片３３ａの係合片３３ｂを溝３１ｃ，３２ｂによって形成された溝に係合させることにより、組立は終了する。なお、この組立状態において、相対向する挟持部３３の間には間仕切り板１を挿入する間隙が形成される。
【００２０】
次に、コーナー連結段ボール４の詳細を、図６を参照して説明すると、長方形の段ボールで構成され、４つの折り込み線４ａ〜４ｄによって５つの片４１〜４５が形成され、片４２〜４５には係合溝４２ａ〜４５ａが形成されている。また、片４５には切り込み線４ｅを介して係合部４６が形成され、この係合部４６を差し込むための係止溝４１ａが片４１に形成されている。
【００２１】
このように構成されたコーナー連結段ボール４は、折り込み線４ａ〜４ｄで折り込んで四角筒状（四角柱状）に形成し、この状態において係合部４６を折り込み線４ｅで折り込んで係止溝４１ａに差し込むことで、でき上がる。
【００２２】
次に、上部連結段ボール２と下部連結段ボール３とを利用して間仕切り板１を、図１に示すように、直列した状態で起立させる場合について説明する。
先ず、組立が行われた下部連結段ボール３の挟持部３３の間に間仕切り板１における下部側の凸部１１ａおよび接合部分の凸部１１ｂを差し込み、該凸部１１ａ，１１ｂの先端を床設置部３１の長孔３１ａに差し込む。
【００２３】
次いで、間仕切り板１の切り取り線１ｄに沿って間仕切り板１を切り取って孔を形成しておき、この状態において上部連結段ボール２の長孔２１ａを間仕切り板１における上部側の凸部１１ａ，１１ｂに差し込み、その後、折り込み線２ａで挟持部２２，２３を間仕切り板１側に折り返し、挟持片２３側に形成されている台形状の切り起こし部２３ａを間仕切り板１の前記台形状の孔に押し込む。
【００２４】
これにより、切り起こし部２３ａは間仕切り板１の孔を介して挟持部２２に形成された台形状の係合孔２２ａに入り込むので、上部連結段ボール２は間仕切り板１に固定され、間仕切り板１は、図１に示すように、一体化される。
【００２５】
次に、コーナー連結段ボール４を利用して間仕切り板１の、図５に示すように、十字状に交差する部分の連結方法について説明する。
先ず、間仕切り板１同士が交差する部分の各間仕切り板１における凸部１１ｂを切り込み線１ｃに沿って分離し、切り込み線１ｂで間仕切り板１側に折り曲げ、切り取り線１ｄに沿って間仕切り板１を切り取って形成した台形状の孔に、台形状の切り起こし部１２を押し込んで固定することにより、コーナー連結段ボール４を挿入する凹部（空間）を形成する。
【００２６】
そして、コーナー連結段ボール４を、溝４２ａ〜４５ａを下向きにして前記凹部内に差し込むと、間仕切り板１に形成されている切り込み１１ｃに溝４２ａ〜４５ａが差し込まれて固定されるので、十字状に交差する各間仕切り板１は一体化される。
【００２７】
なお、コーナー連結段ボール４を利用して間仕切り板１を連結する方法として、十字状に交差する部分について説明したが、Ｔ字状に交差する場合やＬ字状に交差する場合も、同様な作業によって隣接する間仕切り板１同士を一体化することができる。
【００２８】
【発明の効果】
以上のように、本発明は、間仕切り板および間仕切り板同士を連結する上部連結段ボール、下部連結段ボールおよびコーナー連結段ボールを段ボールによって構成したので、コストの低減が図れると共に、重量の軽減も図ることができる。
【００２９】
また、間仕切り板同士を連結する各連結段ボールは、組立によって間仕切り板同士を連結することができるようになるので、保管時には平板状であることから、保管場所を狭くできて保管に便利である等の効果を有するものである。
【図面の簡単な説明】
【図１】本発明に係る間仕切り板を直線状に連結した状態を示す斜視図である。
【図２】（ａ）は間仕切り板を上部連結段ボールと下部連結段ボールとで連結する状態を示す分解斜視図、（ｂ）は間仕切り板を上部連結段ボールによって連結した状態の一部拡大斜視図である。
【図３】（ａ）は上部連結段ボールの展開斜視図、（ｂ）は折り畳んだ上部連結段ボールの斜視図である。
【図４】（ａ）は下部連結段ボールの展開斜視図、（ｂ）は組み立て途中の下部連結段ボールを示す斜視図、（ｃ）は組み立てた下部連結段ボールの斜視図である。
【図５】（ａ）は間仕切り板のコーナー部分を折り返す前の斜視図、（ｂ）はコーナー連結段ボールを利用して十字状部分を連結する状態を示す分解斜視図である。
【図６】（ａ）はコーナー連結段ボールの展開斜視図、（ｂ）は組み立て途中のコーナー連結段ボールを示す斜視図、（ｃ）は組み立てたコーナー連結段ボールの斜視図である。
【符号の説明】
１              間仕切り板
１ａ，１ｂ      折り込み線
１ｃ            切り込み線
１ｄ            切り取り線
１１            壁
１１ａ，１１ｂ  凸部
１１ｃ          切り込み
１２            切り起こし部
２              上部連結段ボール
２ａ            折り込み線
２１            背部
２１ａ          長孔
２２，２３      挟持部
２２ａ          係合孔
２３ａ          切り起こし部
３              下部連結段ボール
３ａ〜３ｃ      折り込み線
３１            床設置部
３１ａ          長孔
３１ｂ          係合部
３１ｃ          溝
３２            重合部
３２ａ          切欠部
３２ｂ          溝
３３            挟持部
３３ａ          起立片
３３ｂ          係合片
４              コーナー連結段ボール
４ａ〜４ｄ      折り込み線
４ｅ            切り込み線
４１〜４５      片
４１ａ          係止溝
４２ａ〜４５ａ  係合溝
４６            係合部
【図１】
0003585880.tif 000002
【図２】
0003585880.tif 000003
【図３】
0003585880.tif 000004
【図４】
0003585880.tif 000005
【図５】
0003585880.tif 000006
【図６】
0003585880.tif 000007